(57)【要約】【課題】断熱材をポリエチレン袋に袋詰めしなくとも繊維片が飛散することがなく、環境に優しく、所要の断熱・難燃効果を発揮できることは勿論のこと作業性・取り扱い性にも優れた繊維マット系断熱材を提供することを目的とする。【解決手段】構築用の断熱材として使用されるロックウール、グラスウール等の繊維からなるマット体の表面に、エチレン・酢酸ビニル共重合体エマルジョン等の塗剤のコーティングからなる繊維片飛散防止加工を施す。【選択図】図１
2005305854.tif 000002
【特許請求の範囲】
【請求項１】
ロックウール、グラスウール等の繊維からなるマット体の表面に繊維片飛散防止加工を施したことを特徴とする繊維マット。
【請求項２】
飛散防止加工手段は、ロックウール、グラスウール等の繊維からなるマット体の表面に膜体を形成することを特徴とする請求項１記載の繊維マット。
【請求項３】
マット体は、建築あるいは構築用の断熱材として使用されることを特徴とする請求項１記載の繊維マット。
【請求項４】
膜体には、難燃性を発揮させるべく防炎剤が混入されてなることを特徴とする請求項２記載の繊維マット。
【請求項５】
膜体は、エチレン・酢酸ビニル系共重合体エマルジョン等の接着剤を塗布することにより形成されることを特徴とする請求項２記載の繊維マット。
【発明の詳細な説明】
【技術分野】
【０００１】
本発明は、ロックウール、グラスウール等の建築用あるいは構築用の繊維系断熱材として用いられる繊維マットの改良に係り、環境にやさしい優れた特性を有するとともに加工性、運搬性、施工に際しての作業性及び取り扱い性を格段に向上させた繊維マットに関する。
【背景技術】
【０００２】
建築用の断熱材として広く用いられているロックウール、グラスウール等は、スラグ・玄武岩やガラス等を溶融しこれを細い繊維状にし、さらに綿状に形成した上で厚さ数ｃｍの板状に成形している。このようにして製造された断熱材の原反を、そのまま現場で施工したり、現場での施工に適した予め各種の規格サイズや所要のサイズに断裁したりした上で、これを現場に運搬して取付施工するものである。
【０００３】
この断熱材は、断熱性能に優れるとともに、高強度で、かつ不燃性も発揮し極めて有用な材料ではあるが、取り扱う際に中に含まれている細かな繊維片が粉塵となって飛散しやすく、これを吸うことがないように作業者はマスクを使用していて問題ないが、これが身体に被着するとチクチクする不快感を生じることから、断熱材から繊維片が飛散しないようにポリエチレン製の袋に収納し使用することが一般に行われている。
【特許文献１】特開２０００−６９１８公報
【発明の開示】
【発明が解決しようとする課題】
【０００４】
この優れたマット状の繊維系断熱材であるが、以下のような問題点があった。
すなわち、予め各種サイズに断裁して袋詰めするといっても、そのサイズの種類は１００種以上あることから、それぞれのサイズ用のポリエチレン袋を多種揃えるという多大な手間と労苦を要するものであった。さらに、袋詰めされた断熱材であっても、細かな繊維片が袋の隙間から漏れ出てきたり、袋が破れたりした場合には、繊維片が飛散して前述の問題点を抜本的に解決することは出来なかった。
【０００５】
そこで本発明の目的は、断熱材をポリエチレン袋に袋詰めしなくとも繊維片が飛散することがなく、環境にやさしい優れた特性を有し、所要の断熱・難燃効果を発揮できることは勿論のこと作業性・取り扱い性にも優れた繊維マット系の断熱材を提供することを目的とする。
【課題を解決するための手段】
【０００６】
上記目的を達成するため、本発明の繊維マットは、ロックウール、グラスウール等の繊維からなるマット体の表面に繊維片飛散防止加工を施したことを特徴とする。
【０００７】
また、飛散防止加工手段は、ロックウール、グラスウール等の繊維からなるマット体の表面に膜体を形成することを特徴とする。
【０００８】
また、マット体は、建築あるいは構築用の断熱材として使用されることを特徴とする。
【０００９】
また、膜体には、難燃性を発揮させるべく防炎剤が混入されてなることを特徴とする。
【００１０】
また、膜体は、エチレン・酢酸ビニル系共重合体エマルジョン等の接着剤を塗布することにより形成されることを特徴とする。
【発明の効果】
【００１１】
本発明によれば、繊維マットは表面に繊維片飛散防止加工を施されていることからポリエチレン製の袋に入れずとも、粉塵となって飛散することなく、したがって各種作業中あるいは搬送中に身体に被着しチクチクする等の不快感を生ずることは一切なく、環境にやさしいものである。
また当然のことながら断熱効果は損われることがないことから建築あるいは構築用の断熱材として極めて有用である。
【００１２】
また、本発明の繊維マットは、繊維片飛散防止加工を施されていることからポリエチレン製の袋に入れずとも所望のあらゆるサイズに断裁して所望数量おくことができ、多種サイズのポリエチレン製袋を多数用意し袋詰めするという多大な労苦を伴う極めて不効率・不経済な作業が不要となる。
【００１３】
また、繊維片がポリエチレン製袋の隙間から漏れたり、施工現場で袋詰め断熱材の袋が破れて繊維片が飛散したりすることも勿論ない。
【００１４】
さらに膜体構成材料には、難燃性を発揮すべく防炎剤が混入されていることから、たとえば塗剤として接着作用のあるエチレン・酢酸ビニル系共重合体エマルジョン等の化学剤を用いても好適な断熱効果を発揮できることは勿論のこと、充分な難燃効果を発揮することができる。
【発明を実施するための最良の形態】
【００１５】
図１、図２は本発明の一実施例を示し、１は繊維マットでありロックウール、グラスウール等を溶融しこれを繊維状にし、さらに綿体２に形成した上で所望の厚さ及び幅径に成形している。
【００１６】
３は繊維マット表面にコーティングされた膜体であり、膜体３形成材料としては、たとえばエチレン・酢酸ビニル共重合体エマルジョン等の接着剤を用いてもよい。
尚、膜体形成材料としては繊維マット表面に接着されかつ表面に膜が形成され、繊維マットの繊維片の飛散が防止される作用を発揮されるものであればいかなる材料であってもよい。
【００１７】
４は膜体３形成用の塗剤５を噴霧するスプレーである。尚、本実施例にあっては、塗剤を繊維マット表面にコーティングする手段としてスプレーを用いたが、勿論これに限定されることはなく、刷毛塗りや適宜な他の手段を用いてもよいものである。
【００１８】
また膜体形成用の塗剤として前記エチレン・酢酸ビニル共重合体エマルジョン等が用いられた場合には、難燃性能に影響を与えることが懸念されるが、本発明にあっては塗剤に防炎剤が混入されていることから、充分な難燃性を確保できる。
【００１９】
尚、塗剤の一実施例としてのエチレン・酢酸ビニル共重合体エマルジョンは、接着剤としてよく用いられているが、可塑剤や溶剤を一切含まない環境にやさしい水溶性の表面処理剤である。このエマルジョンの膜体は、耐水性、耐候性、耐老化性に優れ、かつある程度の柔軟性も備えることから、通常の塗料のごとく、乾燥した膜体が剥離する恐れもないものである。そして、このエマルジョンを断熱材にスプレーにより塗布するために、水で溶いて適切な粘度としている。
【００２０】
尚、上述した実施例にあっては建築用の断熱材について説明したが、もちろんこれに用途を限定されることはなく、建築用以外の断熱材についても適用することができるものである。
【図面の簡単な説明】
【００２１】
【図１】本発明の繊維マットを示す斜視図である。
【図２】本発明の繊維マットの部分拡大断面図である。
【符号の説明】
【００２２】
１  繊維マット
２  綿体
３  膜体
４  スプレー
５  塗剤
【図１】
2005305854.tif 000003
【図２】
2005305854.tif 000004